【手続補正書】
【提出日】令和2年8月26日(2020.8.26)
【手続補正１】
【補正対象書類名】明細書
【補正対象項目名】００２６
【補正方法】変更
【補正の内容】
【００２６】
【図１】本開示の一実施形態に従う、単相流体冷却システムを例解している概略線図である。
【図２】本開示の別の実施形態に従う、中間熱交換器を有する単相流体冷却システムを例解している概略線図である。
【図３】本開示のなお別の実施形態に従う、中間熱交換器および個々のポンプ／パイプループを有する単相流体冷却システムを例解している概略線図である。
【図４Ａ】本開示のなおも別の実施形態に従う、屋上空気取扱部への高温空気の戻りを伴う冷却システムを例解している概略線図である。
【図４Ｂ】本開示のなおも別の実施形態に従う、屋上空気取扱部への高温空気の戻りを伴う冷却システムを例解している概略線図である。
【図５Ａ】本開示に従って設けられた熱交換器の正面図である。
【図５Ｂ】図５Ａの区切り線５Ａ−５Ａに沿って取られた、図５Ａの熱交換器の横断面図である。
【図５Ｃ】図５Ａの熱交換器の上面図である。
【図５Ｄ】図５Ｃの区切り線５Ｄ−５Ｄに沿って取られた、図５Ａの熱交換器の横断面図である。
【図６】本開示に従って設けられた別の熱交換器の上面図である。
【図７Ａ】本開示に従って設けられたなお別の熱交換器の正面図である。
【図７Ｂ】図７Ａの区切り線７Ａ−７Ａに沿って取られた、図７Ａの熱交換器の横断面図である。
【図７Ｃ】図７Ａの熱交換器の側面図である。
【図８Ａ】本開示に従って設けられたなお別の熱交換器の正面図である。
【図８Ｂ】図８Ａの熱交換器の上面図である。
【図８Ｃ】図８Ｂの区切り線８Ｃ−８Ｃに沿って取られた、図８Ａおよび８Ｂの熱交換器の扁平チューブの横断面図である。
【図９Ａ】この開示のいくつかの実施形態に従って設けられた熱交換器フィンの上面図である。
【図９Ｂ】図９Ａの熱交換器フィンの正面図である。
【図１０Ａ】この開示のいくつかの実施形態に従う、図９Ａおよび９Ｂの熱交換器フィンの詳細正面図である。
【図１０Ｂ】図１０Ａの区切り線１０Ｂ−１０Ｂに沿って取られた、図１０Ａの熱交換器フィンの横断面図である。
【図１１Ａ】この開示のいくつかの実施形態に従って設けられたなお別の熱交換器の上面図である。
【図１１Ｂ】図１１Ａの熱交換器の正面図である。
【図１１Ｃ】図１１Ａおよび１１Ｂの熱交換器の左側面図である。
【図１１Ｄ】図１１Ａおよび１１Ｂの熱交換器の右側面図である。
【手続補正２】
【補正対象書類名】特許請求の範囲
【補正対象項目名】全文
【補正方法】変更
【補正の内容】
【特許請求の範囲】
【請求項１】
複数の情報技術（ＩＴ）ラックを冷却するためのシステムであって、
前記複数のＩＴラックにより形成される高温通路にまたはその近くに配置された熱交換器であって、前記熱交換器は、
第１の複数の扁平チューブを含む第１の列と、
前記第１の列と流体連通する第２の複数の扁平チューブを含む第２の列と、
を含む、熱交換器と、
前記熱交換器と空気連通して配置され、かつ、前記高温通路から前記熱交換器を通じて前記第２の列から前記第１の列に空気を移動させるように構成された送風機と、
前記熱交換器に連結されかつそれと流体連通する単相流体回路であって、前記単相流体回路は、前記熱交換器を通じて第１の扁平チューブから第２の扁平チューブに単相流体を循環させる、単相流体回路と、
を備える、システム。
【請求項２】
第１および第２の複数の扁平チューブの各扁平チューブは、１つ以上の流路を含む、請求項１に記載のシステム。
【請求項３】
前記第１および第２の複数の扁平チューブの各扁平チューブは、２つの流路、３つの流路、または５つの流路を含む、請求項２に記載のシステム。
【請求項４】
前記第１および第２の複数の扁平チューブの各扁平チューブは、押出成形または鑞接されたアルミニウムチューブである、請求項２に記載のシステム。
【請求項５】
第１および第２の複数の扁平チューブのうちの扁平チューブの対の間に配置された複数のフィンをさらに備える、請求項１に記載のシステム。
【請求項６】
前記複数のフィンのそれぞれは、空気流の方向に波模様を含む、請求項５に記載のシステム。
【請求項７】
前記複数のフィンはルーバー付きフィンである、請求項５に記載のシステム。
【請求項８】
前記熱交換器は、
前記第２の列と流体連通する第３の複数の扁平チューブを含む第３の列と、
前記第３の列と流体連通する第４の複数の扁平チューブを含む第４の列と、
をさらに含み、
前記送風機は、前記高温通路から前記熱交換器を通じて前記第４の列から前記第１の列に高温空気を移動させ、
前記単相流体回路は、前記熱交換器を通じて前記第１の列から前記第４の列に前記単相流体を循環させる、請求項１に記載のシステム。
【請求項９】
前記第１の列および前記第２の列は、Ｏリングおよび１つ以上のボルトを用いて接続される、請求項１に記載のシステム。
【請求項１０】
前記単相流体はフルオロケトン（ＦＫ）流体である、請求項１に記載のシステム。
【請求項１１】
前記ＦＫ流体は、マイクロカプセル化された相変化物質を含む、請求項１０に記載のシステム。
【請求項１２】
水回路と、
前記単相流体回路と前記水回路との間に連結された第２の熱交換器と、
をさらに備える、請求項１に記載のシステム。
【請求項１３】
屋外流体冷却器内に、かつ前記水回路と流体連通して配置された第３の熱交換器であって、前記第３の熱交換器は、複数の扁平チューブの１つ以上の列を含む、第３の熱交換器
をさらに備える、請求項１２に記載のシステム。
【請求項１４】
屋外流体冷却器内に、かつ前記単相流体回路と流体連通して配置された第２の熱交換器であって、前記第２の熱交換器は、複数の扁平チューブの１つ以上の列を含む、第２の熱交換器
をさらに備える、請求項１に記載のシステム。
【請求項１５】
前記熱交換器は、前記高温通路より上に配置される、請求項１に記載のシステム。
【請求項１６】
前記熱交換器と前記高温通路との間に連結された空気ダクトをさらに備える、請求項１に記載のシステム。
【請求項１７】
複数の情報技術（ＩＴ）ラックを冷却するための方法であって、
熱交換器の第１の列の第１の複数の扁平なアルミニウム形成されたチューブの全域にわたり、その後、前記熱交換器の第２の列の第２の複数の扁平なアルミニウム形成されたチューブの全域にわたり、複数のＩＴラックにより形成される高温通路から空気を移動させることと、
前記空気から単相流体に、かつ第２の熱交換器の第１の流路を通じて熱を伝達するべく、前記熱交換器を通じて前記第２の複数の扁平なアルミニウム形成されたチューブから前記第１の複数の扁平なアルミニウム形成されたチューブに前記単相流体をポンピングすることと、
前記第２の熱交換器の第２の流路を通じて冷却水溶液を循環させることと、
を備える、方法。
【請求項１８】
前記単相流体はフルオロケトン（ＦＫ）流体である、請求項１７に記載の方法。
【請求項１９】
前記ＦＫ流体は、マイクロカプセル化された相変化物質を含む、請求項１８に記載の方法。
【請求項２０】
熱交換器であって、
第１の一対のヘッダチューブ、および、第１の複数の扁平チューブが前記第１の一対のヘッダチューブと流体連通するように前記第１の一対のヘッダチューブの間に連結された前記第１の複数の扁平チューブを含む第１の列と、
第２の一対のヘッダチューブ、および、第２の複数の扁平チューブが前記第２の一対のヘッダチューブと流体連通するように前記第２の一対のヘッダチューブの間に連結された前記第２の複数の扁平チューブを含む第２の列であって、前記第１の一対のヘッダチューブのうちのヘッダチューブは、鑞接工程を用いることなく前記第２の一対のヘッダチューブのうちのヘッダチューブに連結される、第２の列と、
第１および第２の複数の扁平チューブの各対の間に配置された複数のフィンと、
を備える、熱交換器。
【請求項２１】
前記第１の列および前記第２の列は、鑞接工程を用いて別個に構築される、請求項２０に記載の熱交換器。
【請求項２２】
前記第１および第２の複数の扁平チューブは、２つの流路、３つの流路、または５つの流路をそれぞれ含む、請求項２０に記載の熱交換器。
【請求項２３】
前記第１および第２の複数の扁平チューブは、押出成形または鑞接されたアルミニウムチューブである、請求項２０に記載の熱交換器。
【請求項２４】
前記複数のフィンのそれぞれは、空気流の方向に波模様を含む、請求項２０に記載の熱交換器。
【請求項２５】
前記複数のフィンはルーバー付きフィンである、請求項２０に記載の熱交換器。
【請求項２６】
前記第１の列に連結されかつそれと流体連通する流体入口と、
前記第２の列に連結されかつそれと流体連通する流体出口と、
前記熱交換器を通じて前記第２の列から前記第１の列に高温空気を移動させるように構成された１つ以上の送風機と、
をさらに備える、請求項２０に記載の熱交換器。
【請求項２７】
前記第１の一対のヘッダチューブのうちのヘッダチューブは、Ｏリングまたはガスケットおよび１つ以上のボルトまたはネジを用いて、前記第１の一対のヘッダチューブのうちのヘッダチューブのヘッダ接続部を前記第２の一対のヘッダチューブのうちのヘッダチューブのヘッダ接続部に連結することにより、前記第２の一対のヘッダチューブのうちのヘッダチューブに連結される、請求項２０に記載の熱交換器。
【請求項２８】
熱交換器を製造する方法であって、
第１の複数の扁平チューブが第１の一対のヘッダチューブと流体連通するように、鑞接工程を通じて前記第１の一対のヘッダチューブの間に前記第１の複数の扁平チューブを連結することと、
第２の複数の扁平チューブが第２の一対のヘッダチューブと流体連通するように、鑞接工程を通じて前記第２の一対のヘッダチューブの間に前記第２の複数の扁平チューブを連結することと、
鑞接工程を用いることなく、前記第１の一対のヘッダチューブのうちの第１のヘッダチューブを前記第２の一対のヘッダチューブのうちの第２のヘッダチューブに連結することと、
を備える、方法。
【請求項２９】
Ｏリングまたはガスケットを通じて、前記第１のヘッダチューブの第１のヘッダ接続部を前記第２のヘッダチューブの第２のヘッダ接続部に連結することにより、前記第１のヘッダチューブを前記第２のヘッダチューブに連結することをさらに備える、請求項２８に記載の方法。